(57)【要約】【課題】ビルや家屋等の建設現場ないしは工事現場、被災地の復旧・復興の作業現場、禁煙とされているビルや建屋などに運搬して設置し、喫煙したい時などに、誰にも気兼ねすることなく休憩をとりながら、喫煙できるリラックス空間を与えることが可能なポータブル喫煙ルームを提供する。【解決手段】運搬可能なポータブル喫煙ルームであり、一側面部に設けられた開閉扉から入退室が可能になっている直方体状の筐体で成り、筐体の一側面部の上部に換気手段が設置されると共に、床面に空気清浄機が設置され、換気手段及び空気清浄機には電源コードが接続されており、筐体内の天井板若しくは側面上部に照明灯が設置され、照明灯には電源コードが接続されており、筐体内の下部に折り畳み可能な椅子が設置されている。【選択図】図１
2020076199.tif 000002
【特許請求の範囲】
【請求項１】
一側面部に設けられた開閉扉から入退室が可能になっている直方体状の筐体で成り、
前記筐体の少なくとも一側面部の上部に換気手段が設置されると共に、床面に空気清浄機が設置され、前記換気手段及び前記空気清浄機に電源コードが接続されており、
前記筐体内の天井板若しくは側面部上部に照明灯が設置され、前記照明灯には前記電源コードが接続されており、
前記筐体内の下部に折り畳み可能な椅子が設置されていることを特徴とするポータブル喫煙ルーム。
【請求項２】
前記換気手段が排出式の換気ファンであり、外側に排煙筒が設けられている請求項１に記載のポータブル喫煙ルーム。
【請求項３】
前記筐体の少なくとも一側面部の下部に通気口が設けられている請求項１又は２に記載のポータブル喫煙ルーム。
【請求項４】
前記照明灯は人感センサによってＯＮ／ＯＦＦされるようになっている請求項１乃至３のいずれかに記載のポータブル喫煙ルーム。
【請求項５】
前記換気手段のスイッチと前記空気清浄機のスイッチとが別離されており、前記換気手段と前記空気清浄機を独立してＯＮ／ＯＦＦできるようになっている請求項１乃至４のいずれかに記載のポータブル喫煙ルーム。
【請求項６】
前記換気手段と前記空気清浄機のスイッチを１つで兼用し、前記換気手段をＯＮ／ＯＦＦしたときに前記空気清浄機は逆にＯＦＦ／ＯＮするようになっている請求項１乃至４のいずれかに記載のポータブル喫煙ルーム。
【請求項７】
前記筐体の床板若しくは側面部に灰皿が設置されている請求項１乃至６のいずれかに記載のポータブル喫煙ルーム。
【請求項８】
前記照明灯の明るさを調節できるようになっている請求項１乃至７のいずれかに記載のポータブル喫煙ルーム。
【請求項９】
前記筐体の頂部にフック若しくはリングの吊り下げ部材が設けられ、運搬可能になっている請求項１乃至８のいずれかに記載のポータブル喫煙ルーム。
【請求項１０】
前記開閉扉が開き戸であり、開閉ノブが設けられている請求項１乃至９のいずれかに記載のポータブル喫煙ルーム。
【発明の詳細な説明】
【技術分野】
【０００１】
本発明は、ビルや家屋等の建設現場ないしは工事現場、或いは被災地の復旧・復興作業の現場、或いは全面禁煙とされているビルや建屋などの場所に運搬して簡単に設置し、現場作業者、ボランティア参加者等が喫煙したい時などに、誰にも気兼ねすることなく休憩をとりながら喫煙できるリラックス空間を与えることが可能なポータブル喫煙ルームに関する。
【背景技術】
【０００２】
ビルや家屋等の建設現場ないしは工事現場、或いは台風や水害等の被災地の災害復旧の作業現場などでは、多くの作業員やボランティア参加者等が仕事に専念しており、このような建設現場等には喫煙場所が設置されていない。このため、作業員等が喫煙する場合には、喫煙可能な場所に移動するか、作業現場でそのまま喫煙することになる。そのため、喫煙しない人にとっては迷惑となり、また、現場での喫煙は火災等の事故発生の心配を生じる。
【０００３】
更に、近年、喫煙しない人がタバコの煙の影響を受けないようにする権利である「嫌煙権」が注目され、公共の場所等での喫煙規制が広まっている。その一方で、タバコを吸う人の喫煙する自由についても、他者の「嫌煙権」その他の権利との比較衡量の上、認められるべき面もある。
【先行技術文献】
【特許文献】
【０００４】
【特許文献１】特開２０１３−１８９９４６号公報
【特許文献２】特開２００１−１８０５９６号公報
【発明の概要】
【発明が解決しようとする課題】
【０００５】
しかしながら、喫煙者にとっては、自由に喫煙できる環境が次第に狭まってきているのが現状である。タバコを吸う人にとっては他人に気兼ねすることなく、気楽に喫煙できることが望ましく、タバコを吸わない人にあっては、他人の喫煙が健康など自分に影響しなければ良いということになる。
【０００６】
本発明は上述のような事情よりなされたものであり、本発明の目的は、ビルや家屋等の建設現場ないしは工事現場、被災地の復旧・復興の作業現場、禁煙されているビルや建屋などに運搬して設置し、喫煙したい時などに、誰にも気兼ねすることなく休憩をとりながら、喫煙できるリラックス空間を与えることが可能なポータブル喫煙ルームを提供することにある。
【課題を解決するための手段】
【０００７】
本発明は、運搬可能なポータブル喫煙ルームに関し、本発明の上記目的は、一側面部に設けられた開閉扉から入退室が可能になっている直方体状の筐体で成り、前記筐体の少なくとも一側面部の上部に換気手段が設置されると共に、床面に空気清浄機が設置され、前記換気手段及び前記空気清浄機に電源コードが接続されており、前記筐体内の天井板若しくは側面部上部に照明灯が設置され、前記照明灯には前記電源コードが接続されており、前記筐体内の下部に折り畳み可能な椅子が設置されていることにより達成される。
【０００８】
本発明の上記目的は、前記換気手段が排出式の換気ファンであり、外側に排煙筒が設けられていることにより、或いは前記筐体の少なくとも一側面部の下部に通気口が設けられていることにより、或いは前記照明灯は人感センサによってＯＮ／ＯＦＦされるようになっていることにより、或いは前記換気手段のスイッチと前記空気清浄機のスイッチとが別離されており、前記換気手段と前記空気清浄機を独立してＯＮ／ＯＦＦできるようになっていることにより、或いは前記換気手段と前記空気清浄機のスイッチを１つで兼用し、前記換気手段をＯＮ／ＯＦＦしたときに前記空気清浄機は逆にＯＦＦ／ＯＮするようになっていることにより、或いは前記筐体の床板若しくは側面部に灰皿が設置されていることにより、或いは前記照明灯の明るさを調節できるようになっていることにより、或いは前記筐体の頂部にフック若しくはリングの吊り下げ部材が設けられ、運搬可能になっていることにより、或いは前記開閉扉が開き戸であり、開閉ノブが設けられていることにより、効果的に達成される。
【発明の効果】
【０００９】
本発明に係るポータブル喫煙ルームによれば、２トントラックなどで工事現場等の任意な場所に運搬して設置することができ、設置後、商用電源のコンセントに電源コードを差し込んで直ぐに利用可能である。喫煙者は、限定されたルーム内でリラックスして喫煙できるので、他人に影響を与えることもなく、「嫌煙権」を侵害することもない。自由に入室して喫煙できるので、作業員等の体調維持にも役立ち、被災地においては、タバコを吸う被災者も利用することができる。
【図面の簡単な説明】
【００１０】
【図１】本発明に係るポータブル喫煙ルームの概要を示す外観斜視図である。
【図２】本発明に係るポータブル喫煙ルームの正面図である。
【図３】本発明に係るポータブル喫煙ルームの背面図である。
【図４】吊り下げ用フックの設置例を示す斜視図である。
【図５】フック他の構造例を示す図である。
【図６】本発明に係るポータブル喫煙ルームの断面構造例を示す平面図である。
【図７】排出式換気ファン、空気清浄機及び灰皿の設置例を示す機構図である。
【図８】椅子の折り畳む状態及び通気口を示す機構図である。
【図９】ポータブル喫煙ルーム内に設置された照明灯の一例を示す構造図である。
【発明を実施するための形態】
【００１１】
本発明に係るポータブル喫煙ルームは、一側面部に設けられた開き戸等の開閉扉から、入退室が可能になっている直方体状の筐体で成り、筐体の少なくとも一側面部に、換気ファンなどの換気手段が設置されると共に、床面に空気清浄機が設置され、換気手段及び空気清浄機には電源コードが接続されており、筐体内の天井板若しくは側面部上部に照明灯が設置され、照明灯には電源コードが接続されており、筐体の底部に折り畳み可能な椅子が設置されている。また、側面部下部には通気口が設けられ、床板面若しくは側面部下部に、喫煙したタバコの吸い殻等を廃棄するための灰皿が設置されている。
【００１２】
本発明のポータブル喫煙ルームは、２トントラックなどで建築現場等に持ち込むことが可能であり、吊り下げ部材を設けている場合には、建設機械であるユンボ（登録商標）で簡単に吊り上げ下すことができるので、工事現場、被災地など設置場所はどこでも良い。喫煙のためのリラックス空間の提供を必要とする場所に運搬して、簡単に設置することができる。そして、設置後は、電源コードを商用電源のコンセントに差し込めば直ぐに利用可能である。喫煙していることを、外部から見られることもないので、リラックスして喫煙することができる。
【００１３】
以下に、本発明の実施の形態を、図面を参照して説明する。
【００１４】
図１は本発明に係るポータブル喫煙ルーム１０の外観斜視図、図２は正面図、図３は背面図である。
【００１５】
本発明に係るポータブル喫煙ルーム１０は図１に示すように、直方体状の立設した筐体構造であり、長形状の４側面部１１〜１４と、頂部の天井板１５及び底部の床板１６とで形成されている。望ましくは、外部から内部を可視できない不透明材（木材、金属、合成樹脂等）で構成されており、４側面部１１〜１４、板１５及び床板１６は一体型でも良く、結合部材で結合した結合型でも良い。
【００１６】
正面の側面部１１には開き戸の開閉扉２０が設けられており、開閉扉２０には開閉用のノブ２１が取り付けられ、開閉扉２０は蝶番２２Ａ〜２２Ｃを支点として開閉される。これにより、作業員等は開閉扉２０の開閉によって自由に入退室できる。また、側面部１２には換気用のルーバー３０が設けられており、適宜室内を換気できるようになっている。ルーバー３０は、室内の喫煙者が外部の様子を見る機能も有している。なお、図１では横型のルーバー３０を例示しているが、縦型であっても良い。
【００１７】
側面部１４の下部には、外部の空気をルーム内に導入する筒状の通気口１７が設けられている。換気手段５０を作動させると、通気口１７を経て外気がルーム内部に導入される。
【００１８】
また、背面の側面部１３には、図３に示すように換気手段５０を構成する換気ファン５２に対応する排煙筒５１が設置され、ルーム内で喫煙したタバコの煙を外部に排出すると共に、下方に向かって拡散するようになっている。そして、換気ファン５１には、ＯＮ／ＯＦＦ用のスイッチ（図示せず）を介して電源コード４０が接続されており、電源コード４０を商用電源のコンセントに差し込み、スイッチをＯＮすれば任意の時に換気できるようになっている。
【００１９】
ポータブル喫煙ルーム１０の頂部の天井板１５の外側には、油圧ショベル、パワーショベル、バックホー等の建設機械であるユンボ（登録商標）で吊り下げて運搬可能なように、吊り下げ部材としてフック６１及び６２（１対）が設けられている。なお、フックは、ポータブル喫煙ルーム１０をユンボ（登録商標）などで運搬可能な構造であれば良く、図５（Ａ）に示すようにリング６３を支柱６４で取り付けた構造でも良く、或いは図５（Ｂ）に示すように半円状の金具６５であっても良い。また、吊り下げ部材の数も２個で示しているが、任意の数である。
【００２０】
図６は本発明に係るポータブル喫煙ルーム１０の断面構造の一例を示しており、図７は一部側面断面図である。背面部の側面部１３の室内側に近接した床板１５上に空気清浄機９０が設けられていると共に、側面部１３の外側にタバコの煙を排出するための排煙筒５１が設けられている。図６では空気清浄機９０と排煙筒５１が同じ縦位置に示されているが、ずれていても良い。換気手段５０として、側面部１３の上部には、ＯＮ／ＯＦＦスイッチによって作動／非作動が切り換えられる換気ファン５２が設けられ、その対応する外側に、喫煙したタバコの煙を外部に排出すると共に、下方に向かって拡散する排煙筒５１が設けられている。床板１６には、更に灰皿１００が設けられている。
【００２１】
また、側面部１２の室内側に折り畳み可能な椅子７０が設置され、同様に側面部１４の室内側に折り畳み可能な椅子７１が設置されている。椅子７０及び７１は折り畳み式であり、例えば図８に示すように支点部材７２を支点にして、水平位置（使用時）と垂直位置（不使用時）とを、手で回動（上げ下げ）する構造で良い。また、床板１５のほぼ中央部には灰皿１００が設けられており、喫煙したタバコの吸い殻等を廃棄するようになっている。側面部１４の下部には、通気口１７が設けられている。
【００２２】
更に、ポータブル喫煙ルーム１０内にはＬＥＤ等の照明灯８０が設置され、室内が暗くて不安にならないように、室内を明るくするようになっている。照明灯８０は点灯／消灯用の人感スイッチ（図示せず）を介して電源コード４０に接続されている。電源コード４０を商用電源のコンセントに差し込み、喫煙者が室内に入れば自動的にＯＮして点灯するようになっており、別途設けられている調節部を調整することによって照明灯８０の明るさ（照度）を調節可能である。喫煙者が外に退室すれば、所定時間後に消灯する。図８（Ａ）に示すように、天井板１５の下側に照明灯８０を垂設しても良く、或いは図８（Ｂ）に示すように、側面部１４の上部にユニバーサルアーム８１を取り付け、ユニバーサルアーム８１の先端部に照明灯８０を設けても良い。側面部１２，１３であっても良い。
【００２３】
なお、本例では人感センサによって点灯／消灯するようにしているが、手動式のＯＮ／ＯＦＦスイッチであても良い。
【００２４】
本発明の喫煙ルーム１０を利用する人が開閉扉２０を開けて室内に入ると、人感センサによって照明灯８０が点灯し、先ず室内の空気を洗浄したい場合にはＯＮ／ＯＦＦスイッチによって空気洗浄機９０を作動させ、その後、ＯＦＦして空気洗浄機９０を停止する。そして、換気手段５０のスイッチをＯＮして換気しながら、タバコを吸う。灰皿１００は適宜使用し、吸い終わってから再度空気洗浄機９０を作動させても良い。喫煙後は換気手段５０のスイッチをＯＦＦし、そのまま外に出れば良く、照明灯８０は所定時間後に自動消灯する。
【００２５】
本発明のポータブル喫煙ルーム１０は喫煙者に憩いの場を提供し、気兼ねなく喫煙できると共に、直射日光の日陰となり得るので、夏季においては、被災地における被災者のクールダウン用として、被災地におけるボランティア参加者のクールダウン用として利用でき、冬季においては、被災地における被災者の採暖用として、被災地におけるボランティア参加者の採暖用として利用でき、工事現場等における作業員等の採暖用として利用できる。
【００２６】
開閉扉は開き戸で示しているが、引き戸や折れ戸であっても良く、２つの椅子７０，７１を示しているが、空間スペースに関連して数は１つでも、３つでも良い。
【００２７】
なお、通気口１７、ルーバー３０、換気ファン５２（排煙筒５１）、照明灯８０、ＯＮ／ＯＦＦスイッチ、灰皿１００の設置場所は、適宜選択できる。
【符号の説明】
【００２８】
１０            ポータブル喫煙ルーム
１１〜１４      側面部
１５            天井板
１６            床板
１７            通気口
２０            開閉扉
２１            ノブ
３０            ルーバー
４０            電源コード
５０            換気手段
５１            排煙筒
５２            換気ファン
６１、６２      フック
７０、７１      椅子
８０            照明灯
９０            空気清浄機
１００          灰皿
【図１】
2020076199.tif 000003
【図２】
2020076199.tif 000004
【図３】
2020076199.tif 000005
【図４】
2020076199.tif 000006
【図５】
2020076199.tif 000007
【図６】
2020076199.tif 000008
【図７】
2020076199.tif 000009
【図８】
2020076199.tif 000010
【図９】
2020076199.tif 000011